(57)【要約】【課題】  組立性（組込性）を改善し、さらに防塵機能を備えて緩衝機能についての信頼性を確保したヒンジ装置と、これを備えた開閉装置を提供する。【解決手段】  固定部材に対して開閉部材を開閉可能に支持させるためのヒンジ装置である。支持軸１０と、これに外挿しかつ相対的に回動可能に設けられた横断面Ｃ字状で略円筒状の軸受部１１とからなるヒンジ本体８と、支持軸１０に連結してこれを覆う軸側カバー１３と軸受部１１に連結してこれを覆う軸受部側カバー１２とを有してヒンジ本体８を覆うカバー部材９とを備えている。軸受部１１は、一端側が軸受部側カバー１２に保持固定された固定端とされ、他端側が自由端とされている。ヒンジ本体８は、軸受部１１に対して支持軸１０が相対的に回動した際、軸受部１１と支持軸１０との間の摩擦力により、軸受部１１の内径を縮小させあるいは軸受部の内径を拡大させるよう構成されている。【選択図】      図３
0003112325.tif 000002
【実用新案登録請求の範囲】
【請求項１】
固定部材に対して開閉部材を開閉可能に支持させるためのヒンジ装置であって、
支持軸と、該支持軸に対して外挿しかつ相対的に回動可能に設けられた横断面Ｃ字状で略円筒状の軸受部と、からなるヒンジ本体と、
前記固定部材と開閉部材とのうちの一方に連結し、かつ、前記支持軸に連結して該支持軸の少なくとも一部を覆う軸側カバーと、前記固定部材と開閉部材とのうちの他方に連結し、かつ、前記軸受部に連結して該軸受部の少なくとも一部を覆う軸受部側カバーと、を有して前記ヒンジ本体を覆うカバー部材と、を備えてなり、
前記ヒンジ本体の軸受部は、その周方向における一端側が、前記軸受部側カバーに保持固定された固定端とされ、周方向における他端側が、前記軸受部側カバーに固定されない自由端とされてなり、
前記ヒンジ本体は、前記軸受部に対して支持軸が相対的に回動した際、軸受部と支持軸との間の摩擦力により、前記軸受部の内径を縮小させ、あるいは前記軸受部の内径を拡大させるよう構成されたことを特徴とするヒンジ装置。
【請求項２】
前記カバー部材の外周側にトーションバネが巻装され、該トーションバネはその一端側が前記固定部材と開閉部材とのうちの一方に連結し、他端側が前記固定部材と開閉部材とのうちの他方に連結するとともに、前記開閉部材を開く方向に付勢してなることを特徴とする請求項１記載のヒンジ装置。
【請求項３】
請求項１又は２記載のヒンジ装置と、これに連結する固定部材および開閉部材を備えたことを特徴とする開閉装置。
【考案の詳細な説明】
【技術分野】
【０００１】
本考案は、固定部材に対して開閉部材を開閉可能に支持させるためのヒンジ装置と、これを備えた開閉装置に関する。
【背景技術】
【０００２】
従来、各種容器の蓋や、オーディオ機器等の電化製品における媒体の出し入れ用の扉、自動販売機の取出口の扉、車のダッシュボード、ピアノやオルガン等の蓋、ノート型パソコンなどでは、開閉時に適当なフリクションやトルクを与えつつ開閉させるのが望ましいことから、本体となる固定部材側と、蓋や扉となる開閉部材側との間に、適宜な緩衝機構（ダンパー機構）を有するヒンジ装置が設けられている。
【０００３】
例えば、比較的大きく重い蓋や扉などでは、オイルダンパーや軸の摩擦を利用した緩衝機構を有するヒンジ装置がよく用いられており、また、それほど大きくなく重くもない蓋や扉などの場合には、トーションばねや薄板ばねを利用した緩衝機構を有するヒンジ装置がよく用いられている。
【考案の開示】
【考案が解決しようとする課題】
【０００４】
ところで、このようなヒンジ装置では、コストダウンや信頼性についての要求に応えるため、これが取り付けられる装置への、組立性（組込性）についての改善が求められている。また、特に小型化されたヒンジ装置などでは、ほこりや粉塵が付着すると設計通りの緩衝機能が発揮されないことから、その対策が求められている。
【０００５】
本考案は前記事情に鑑みてなされたもので、その目的とするところは、組立性（組込性）を改善し、さらに防塵機能を備えて緩衝機能についての信頼性を確保したヒンジ装置と、これを備えた開閉装置を提供することにある。
【課題を解決するための手段】
【０００６】
前記目的を達成するため本考案のヒンジ装置は、固定部材に対して開閉部材を開閉可能に支持させるためのヒンジ装置であって、
支持軸と、該支持軸に対して外挿しかつ相対的に回動可能に設けられた横断面Ｃ字状で略円筒状の軸受部と、からなるヒンジ本体と、
前記固定部材と開閉部材とのうちの一方に連結し、かつ、前記支持軸に連結して該支持軸の少なくとも一部を覆う軸側カバーと、前記固定部材と開閉部材とのうちの他方に連結し、かつ、前記軸受部に連結して該軸受部の少なくとも一部を覆う軸受部側カバーと、を有して前記ヒンジ本体を覆うカバー部材と、を備えてなり、
前記ヒンジ本体の軸受部は、その周方向における一端側が、前記軸受部側カバーに保持固定された固定端とされ、周方向における他端側が、前記軸受部側カバーに固定されない自由端とされてなり、
前記ヒンジ本体は、前記軸受部に対して支持軸が相対的に回動した際、軸受部と支持軸との間の摩擦力により、前記軸受部の内径を縮小させ、あるいは前記軸受部の内径を拡大させるよう構成されたことを特徴としている。
【０００７】
このヒンジ装置によれば、前記ヒンジ本体が、前記軸受部に対して支持軸が相対的に回動した際、軸受部と支持軸との間の摩擦力により、前記軸受部の内径を縮小させ、あるいは前記軸受部の内径を拡大させるよう構成されているので、特に軸受部の内径を縮小させる方向に支持軸を相対的に回動させると、縮径した軸受部によって支持軸の相対的回動が規制を受ける。したがって、このヒンジ本体に連結された固定部材に対する開閉部材の開動作あるいは閉動作が規制を受け、これによって緩衝機能が良好に発揮されるようになる。
また、このヒンジ本体を覆うカバー部材を備えているので、このカバー部材が特にヒンジ本体における回動部を覆うことで防塵機能を発揮するようになる。
さらに、固定部材や開閉部材に対する取付のための係合部等をカバー部材に設けておくことにより、固定部材や開閉部材に対してのヒンジ装置の取り付けを容易にし、その組立性（組込性）を改善することが可能になる。  
【０００８】
また、前記ヒンジ装置においては、前記カバー部材の外周側にトーションバネが巻装され、該トーションバネはその一端側が前記固定部材と開閉部材とのうちの一方に連結し、他端側が前記固定部材と開閉部材とのうちの他方に連結するとともに、前記開閉部材を開く方向に付勢してなっていてもよい。
このようにすれば、特に固定部材に対し開閉部材が開動作をなすときに、ヒンジ本体によって前記の規制を受けるように構成しておくことにより、トーションバネの作用によって勢いよく開閉部材が開いてしまうことが抑えられる。
【０００９】
本考案の開閉装置は、前記のヒンジ装置と、これに連結する固定部材および開閉部材を備えたことを特徴としている。
この開閉装置によれば、緩衝機能が良好に発揮されるヒンジ装置を固定部材および開閉部材に連結しているので、開閉部材が勢いよく開き、あるいは閉じてしまうのが防止される。
また、ヒンジ装置が防塵機能を有しているので、ほこりや粉塵が付着することによる緩衝機能の低下が防止される。
さらに、ヒンジ装置の組立性（組込性）が改善されていることにより、開閉装置自体の組立性が良好になる。  
【考案の効果】
【００１０】
本考案のヒンジ装置にあっては、固定部材に対する開閉部材の開動作あるいは閉動作がヒンジ本体によって規制を受け、これによって緩衝機能が良好に発揮されるようになっているので、開閉部材の開動作時あるいは閉動作時において衝撃等が生じ、これによって衝撃音が発したり手が挟まれるといった不都合を防止することができる。
また、ヒンジ装置が防塵機能を有しているので、ほこりや粉塵が付着することによる緩衝機能の低下を防止することができ、これによって信頼性の向上を図ることができる。
さらに、固定部材や開閉部材に対してのヒンジ装置の取り付けを容易にし、その組立性（組込性）を改善することができるので、固定部材や開閉部材を備えてなる開閉装置自体の組立性を向上することができる。  
【００１１】
本考案の開閉装置にあっては、前記ヒンジ装置によって開閉部材が勢いよく開き、あるいは閉じてしまうのを防止しているので、開閉部材の開動作時あるいは閉動作時において衝撃等が生じ、これによって衝撃音が発したり手が挟まれるといった不都合を防止することができる。
また、ヒンジ装置が防塵機能を有しているので、ほこりや粉塵が付着することによる緩衝機能の低下を防止することができ、これによって信頼性の向上を図ることができる。
さらに、ヒンジ装置の組立性（組込性）が改善されていることにより、開閉装置自体の組立性も良好になっていることから、生産性の向上を図ることができる。  
【考案を実施するための最良の形態】
【００１２】
以下、図面を参照して本考案を詳しく説明する。
図１は、本考案の開閉装置を収納ケースに適用した場合の一実施形態を示す図であり、図１中符号１は収納ケースである。この収納ケース１は、ケース本体２と、このケース本体２の前面側に開閉可能に取り付けられた扉３とを有し、ケース本体２に対して扉３を開閉可能に支持させるためのヒンジ装置４を備えて構成されたものである。
【００１３】
ケース本体２は、本考案における固定部材となるもので、内部に収納空間を有したものであり、その前面上部には、前記ヒンジ装置４を取り付けるための軸受け５が一対形成されている。この軸受け５は、図２（ａ）に示すように孔部５ａを形成したもので、扉３の上部側に形成された切欠部６に係合するようになっている。また、この切欠部６の近傍には、前記ヒンジ装置４を挿通させるための挿通孔７が、扉３の側面に開口し、さらに前記切欠部６を挟んでその内側にまで延びた状態で形成されている。この挿通孔７は、切欠部６に軸受け５が係合した際、この軸受け５の孔部５ａに連通するようになっている。このような構成のもとにヒンジ装置４は、挿通孔７に挿通されさらに軸受け５の孔部５ａに挿通されることにより、ケース本体２と扉３との間に取り付けられて扉３を開閉可能に支持するようになっている。
【００１４】
ヒンジ装置４は、本考案のヒンジ装置の一実施形態となるもので、図３（ａ）に示すようにヒンジ本体８とこれを覆うカバー部材９とから構成されたものである。ヒンジ本体８は、図４に示すように支持軸１０と、この支持軸１０に対して外挿しかつ相対的に回動可能に設けられた横断面Ｃ字状で略円筒状の軸受部１１とから構成されたもので、金属または樹脂によって形成されたものである。支持軸１０は、円柱状に形成されて軸受部１１に内挿された円柱部１０ａと、軸受部１１に外挿されることなくその外側に突出した横断面Ｄ字状の連結部１０ｂとからなっている。軸受部１１は、前記円柱部１０ａに外挿してこれの周方向に摺動可能に取り付けられたもので、その周方向における一端側に、前記カバー部材９の軸受部側カバー１２（図３参照）に連結し保持固定される固定端１１ａを形成したものである。すなわち、この固定端１１ａは、横断面Ｃ字状に形成された軸受部１１の一端側にて、前記支持軸１０の円柱部１０ａに対しその外方、例えばその接線方向外方に延びて形成されたものである。
【００１５】
図３（ａ）に示したようにカバー部材３は、支持軸１０の一部を覆う軸側カバー１３と、軸受部の少なくとも一部を覆う前記軸受部側カバー１２とから構成されたもので、樹脂等によって形成されたものである。軸側カバー１３は、その中心軸方向に沿って貫通孔１３ａを形成し、先端側に無理嵌め用の突起部１４を形成し、後端側の前記貫通孔１３ａ内に、その周方向に沿って前記軸受部側カバー１２に係合する係合凹部１３ｂを形成したものである。突起部１４を形成した先端部は、図３（ｂ）に示すように二つに割れて形成されており、これによって後述するようにケース本体２の軸受け５の孔５ａに無理嵌めが可能になっている。
【００１６】
前記貫通孔１３ａは、図３（ｃ）に示すように特にその先端側（突起部１４側）が、前記支持軸１０の連結部１０ｂの横断面形状とほぼ同じ形状、すなわち横断面Ｄ字状に形成されている。このような構成のもとに軸側カバー１３は、支持軸１０を空回りさせることなく、貫通孔１３ａ内にてこれに連結し、保持固定するようになっている。
また、軸側カバー１３の先端側も、前記貫通孔１３ａの先端側と同様にその横断面形状がＤ字状になっており、これによってこの軸側カバー１３は、後述するようにケース本体２の軸受け５の孔部５ａに空回りすることなく保持固定されるようになっている。
また、前記貫通孔１３ａの後端側は、図３（ａ）に示したようにその内径が先端側より大きくなっており、ここに前記軸受部１１の一部が挿入され、さらにこれを覆う前記軸受部側カバー１２の先端側も挿入されている。
【００１７】
軸受部側カバー１２は有底円筒状のもので、その先端側が小径に形成されて、前記軸側カバー１３の貫通孔１３ａ内に挿入される小径部１２ａとなっている。そして、この小径の部分の先端側には、その周方向に沿って前記係合凹部１３ｂに係合する係合凸部１２ｂが形成されており、これによって軸受部側カバー１２は、軸側カバー１３に対して回動可能に一体化されてものとなっている。
また、この軸受部側カバー１２は、その内部孔１２ｃ内に前記ヒンジ本体８の軸受部１１側を外挿してこれを保持するようになっている。
【００１８】
すなわち、この内部孔１２ｃには、図３（ｄ）に示すようにその内周面の一部に、この内周面の接線方向に延びる溝状の切欠部１５が形成されており、この切欠部１５に、図３（ａ）に示したように前記軸受部１１の固定端１１ａが嵌め込まれてここに保持固定されている。また、この軸受部１１の周方向における他端側は、単に軸受部側カバー１２の内部孔１２ｃ内に挿通されているだけで、直接固定されることなく保持されただけとなっている。このような構成のもとに軸受部１１は、前記固定端１１ａが軸受部側カバー１２に保持固定され、その反対側である他端側は、軸受部側カバー１２に固定されず、したがって移動可能に設けられた自由端となっている。
また、軸受部側カバー１２には、その後端側に大径部１２ｄが形成されており、この大径部１２の先端側には、係合突起１６が形成されている。これら大径部１２および係合突起１６は、後述するように、扉３の挿通孔に係合するように形成されたものである。
【００１９】
このような構成からなるヒンジ装置４においてヒンジ本体８は、図４に示したように支持軸１０に対して横断面Ｃ字状で略円筒状の軸受部１１が外挿しており、支持軸１０の先端側が軸側カバー１３に空回りすることなく連結しており、さらに軸受部１１の固定端１１ａが軸受部側カバー１２に保持固定され、かつその反対側が自由端となっていることから、軸側カバー１３と軸受部側カバー１２とが相対的に回動すると、それぞれに連結した支持軸１０と軸受部１１との間も相対的に回動する。
【００２０】
このとき、支持軸１０が図４中における矢印Ａ方向に相対的に回動すると、この支持軸１０と軸受部１１との間の摩擦力により、軸受部１１の自由端側（固定端１１ａと反対の側）が支持軸１０に連れ回りし、これによって軸受部１１の内径が拡大する。すると、支持軸１０に対する軸受部１１の締付力が低下し、これらの間に発生する摩擦力が小となることから、支持軸１０と軸受部１１との間の相対的回動が円滑になる。
【００２１】
一方、支持軸１０が図４中における矢印Ｂ方向に相対的に回動すると、軸受部１１の自由端側が支持軸１０に連れ回りし、これによって軸受部１１の内径が縮小する。すると、支持軸１０に対する軸受部１１の締付力が高くなり、これらの間に発生する摩擦力が大となることから、支持軸１０と軸受部１１との間の相対的回動に抵抗が生じ、円滑な回動が妨げられるようになる。
【００２２】
また、このような構成のヒンジ装置４には、図２（ａ）、（ｂ）に示したように、そのカバー部材９の外周側にトーションバネ１７が巻装されている。このトーションバネ１７は、コイル部１７ａとこれの端部１７ｂおよび１７ｃからなるもので、一方の端部１７ｂがコイル部１７ａの軸方向に延び、他方の端部１７ｃがコイル部１７の半径方向に延びて形成されたものである。そして、扉３の切欠部６にケース本体２の軸受け５が係合された状態にて、扉３の挿通孔７内に挿通され、その一方の端部１７ｂが軸受け５の孔部５ａ近傍に形成された係合孔５ｂに挿入されてここに係合され、他方の端部１７ｃが挿通孔７の内側面に連続して形成された係合溝７ａに係合させられることにより、収納ケース２の軸受け５と扉３との間に取り付けられるようになっている。
【００２３】
ここで、このトーションバネ１７については、軸受け５と扉３との間への取り付けの際、所定の方向に捻り力を付与した状態で取り付けておく。これにより、元に戻る力が付勢力となり、この付勢力が扉３を開く方向に働くようにしておく。
そして、このようにしてトージョンバネ１７を軸受け５と扉３との間に取り付けた後、挿通孔７に前記ヒンジ装置４をその突起部１４側から挿通することにより、図２（ｂ）に示したようにトーションバネ１７のコイル部１７ａに挿通した状態で、突起部１４を軸受け５の孔部５ａに無理嵌めし、ここに挿通した状態で該孔部５ａに係止させる。これにより、ヒンジ装置４は軸受け５に取り付けられ、かつ、その状態で挿通孔７内に取り付けられる。ただし、前記支持軸１０の軸受部１１に対する相対的回動方向については、図４中の矢印Ｂ方向が後述する扉３の開く方向に一致するようにして、予めヒンジ装置４を構成し、かつこれを挿通孔７内に取り付けるようにする。
【００２４】
このとき、軸受け５の孔部５ａは、その横断面形状が軸側カバー１３の横断面形状に対応してＤ字状となっていることにより、軸側カバー１３は軸受け５の孔部５ａに空回りすることなく保持固定された状態で連結される。また、軸受部側カバー１２は、その係合突起１６が挿通孔７の係合溝７ａに係止させられることにより、挿通孔７内に空回りすることなく保持固定された状態で連結される。なお、軸受部側カバー１２には、図２（ｂ）に示すように係合突起１６より先端側に段部１２ｅが形成されており、この段部１２ｅが、前記トーションバネ１７の端部１７ｃを押さえるようになっている。
【００２５】
また、本実施形態の収容ケース１には、図１に示すように、扉３を閉じた状態に保持するためのロック機構２０が、その前面下部に設けられている。このロック機構２０は、図５（ａ）に示すように、扉３内に設けられた第１係合部２１と、ケース本体２内に設けられた第２係合部２２と、この第２係合部２２に連結した操作部２３とを備えて構成されたものである。
【００２６】
第１係合部２１は、扉３内の収容空間（図示せず）内に設けられたコイルバネ２４と、これにその後端側が付勢されて配置された第１係合部材２５とから構成されたものである。第１係合部材２５は、収納空間内に進退可能に設けられたもので、その先端部には第１係止部２６が形成されている。また、この第１係合部材２５には、その側面部に開口２５ａが形成されており、この開口２５ａは前記収容空間内に突出して設けられた軸２７に係合されている。このような構成のもとに第１係合部材２５は、コイルバネ２４により付勢されて扉３の下端側から前記第１係止部２６を突出させた状態と、コイルバネ２４の付勢力に抗して収容空間内に後退した状態との間を、移動可能となっている。
【００２７】
第２係合部２２は、ケース本体２内の、前記第１係合部２１と対応する収容空間（図示せず）内に設けられたコイルバネ２８と、これにその後端側が付勢されて配置された第２係合部材２９とから構成されたものである。第２係合部材２９は、収納空間内に進退可能に設けられたもので、その先端部には前記第１係止部２６に係脱可能に係止する第２係止部３０が形成されている。また、この第２係合部材２９には、その前面側に前記操作部２３が連結されており、この操作部２３によって第２係合部材２９はその昇降が操作されるようになっている。
【００２８】
このような構成のもとにロック機構２０は、図５（ａ）に示したように扉３が閉じてる状態では、第１係合部材２５と第２係合部材２９とがそれぞれ付勢されてその第１係止部２６と第２係止部３０とが係止した状態となり、これによって扉３を開くことなく閉じた状態にロックしている。
また、この状態から扉３を開くためには、前記操作部２３を押圧して下降せしめる。すると、この操作部２３に連結した第２係合部材２９もコイルバネ２８の付勢力に抗して下降し、これによってその先端の第２係止部３０が第１係合部材２５の第１係止部２６から外れ、扉３のロックが解除される。
【００２９】
このようにして扉３のロックを解除すると、前述したように前記ヒンジ装置４のトーションバネ１７が、その付勢力を扉３が開く方向に働かせる。これにより、扉３は図５（ｂ）に示したようにヒンジ装置４を軸にして上向きに回動し、ケース本体２を開口する。
このとき、前記ヒンジ装置４は、その支持軸１０の軸受部１１に対する相対的回動方向について、図４中の矢印Ｂ方向が扉３の開く方向に一致した状態に取り付けられているので、扉３が開き、これに伴われて軸受部側カバー１２が軸側カバー１３に対して相対的に回動し、これによって軸受部１１が支持軸１０に対して相対的に回動すると、支持軸１０に対する軸受部１１の締付力が高くなり、これらの間に発生する摩擦力が大となる。したがって、支持軸１０と軸受部１１との間の相対的回動に抵抗が生じ、緩衝機能が付加されて円滑な回動が妨げられることにより、勢いよく扉３が開くことが防止される。
【００３０】
よって、本考案のヒンジ装置４にあっては、衝撃音が発したり手が挟まれるといった不都合を防止することができる。
また、このヒンジ装置４は、軸受部側カバー１２と軸側カバー１３とからなるカバー部材９によってヒンジ本体８を覆って構成されているので、防塵機能を有したものとなり、したがってほこりや粉塵が付着することによる緩衝機能の低下を防止することができ、これによって信頼性の向上を図ることができる。
さらに、ケース本体２（固定部材）や扉３（開閉部材）に対する取付のための係合部等をカバー部材９に設けておくことにより、ケース本体２（固定部材）や扉３（開閉部材）に対してのヒンジ装置４の取り付けを容易にし、その組立性（組込性）を改善することができるので、収納ケース１（開閉装置）自体の組立性を向上することができる。
【００３１】
また、本考案の収納ケース１（開閉装置）にあっては、前記ヒンジ装置４によって扉３（開閉部材）が勢いよく開いてしまうのを防止しているので、扉３の開動作時において衝撃等が生じ、これによって衝撃音が発したり手が挟まれるといった不都合を防止することができる。
また、ヒンジ装置４が防塵機能を有しているので、ほこりや粉塵が付着することによる緩衝機能の低下を防止することができ、これによって信頼性の向上を図ることができる。
さらに、ヒンジ装置４の組立性（組込性）が改善されていることにより、収納ケース１自体の組立性も良好になっていることから、生産性の向上を図ることができる。  
【００３２】
なお、本考案は前記実施形態に限定されることなく、本考案の要旨を逸脱しない限り種々の変更が可能である。例えば、前記実施形態ではカバー部材９の外周側にトーションバネ１７を巻装し、扉３の上方向への開動作を自動的になすようにしたが、扉が下方向に開くような構成の場合には、その自重によって自動的に開動作を自動的になさせることができることから、トーションバネを用いる必要はない。
【００３３】
また、前記実施形態では、本考案のヒンジ装置を収納ケースに適用した例を示したが、これ以外にも、例えば各種容器の蓋や、オーディオ機器等の電化製品における媒体の出し入れ用の扉、自動販売機の取出口の扉、車のダッシュボード、ピアノやオルガン等の蓋、ノート型パソコンなど各種の開閉装置に、本考案のヒンジ装置を適用することができる。
【図面の簡単な説明】
【００３４】
【図１】本考案のヒンジ装置を収納ケースに適用した場合の一実施形態を説明するための概略構成図である。
【図２】（ａ）はヒンジ装置とこれの取り付け部の要部を示す斜視図、（ｂ）はヒンジ装置が取り付けられた状態を示す要部側断面図である。
【図３】（ａ）はヒンジ装置の側断面図、（ｂ）はヒンジ装置の側面図、（ｃ）はヒンジ装置の正面図、（ｄ）は軸受部側カバーの横断面図である。
【図４】ヒンジ本体の斜視図である。
【図５】ロック機構を説明するための要部側断面図であって、（ａ）はロックされた状態を示す図、（ｂ）はロックが解除された状態を示す図である。
【符号の説明】
【００３５】
１…収納ケース（開閉部材）、２…ケース本体（固定部材）、３…扉（開閉部材）、４…ヒンジ装置、８…ヒンジ本体、９…カバー部材、１０…支持軸、１１…軸受部、１２…軸受部側カバー、１３…軸側カバー、１７…トーションバネ
【図１】
0003112325.tif 000003
【図２】
0003112325.tif 000004
【図３】
0003112325.tif 000005
【図４】
0003112325.tif 000006
【図５】
0003112325.tif 000007